(57)【要約】【課題】環境改善証書および／または同証書付き商品を、通信ネットワークを介して取引きする電子商取引方法と装置を提供する。【解決手段】サプライヤー、バイヤー、および、証書・商品取引センターの各端末機器を通信ネットワークで結び、環境改善証書・同証書付き商品を、通信ネットワークを介して取引する電子商取引方法において、（ａ）サプライヤーは、環境改善証書に係る証書情報・環境改善証書付き商品に係る証書付き商品情報を、上記センターに送信し、（ｂ）上記センターは、証書情報・証書付き商品情報を記憶・蓄積し、（ｃ）バイヤーは、（ｃ１）証書情報・証書付き商品情報を求める証書・商品情報要求情報を上記センター送信し、（ｃ２）証書・証書付き商品購入希望情報を、上記センターを介してサプライヤーに送信し、（ｄ）サプライヤーは、証書・証書付き商品販売同意情報を、上記センターの端末機器を介してバイヤーに送信する。【選択図】　　　図３
2004145534.tif 000002
【特許請求の範囲】
【請求項１】
サプライヤーの端末機器、バイヤーの端末機器、および、証書・商品取引センターの端末機器を通信ネットワークで結び、環境改善証書および／または環境改善証書付き商品を、通信ネットワークを介して取引きする電子商取引方法において、
（ａ）サプライヤーは、端末機器から、環境改善証書に係る証書情報、および／または、環境改善証書付き商品に係る証書付き商品情報を、証書・商品取引センターの端末機器に送信し、
（ｂ）証書・商品取引センターは、証書情報および／または証書付き商品情報を、端末機器の証書・証書付き商品情報記憶・蓄積手段に記憶・蓄積し、
（ｃ）バイヤーは、
（ｃ１）端末機器から、証書・商品取引センターの端末機器の証書・証書付き商品情報記憶・蓄積手段に記憶・蓄積されている証書情報および／または証書付き商品情報を求める証書・証書付き商品情報要求情報を、証書・商品取引センターの端末機器へ送信し、
（ｃ２）環境改善証書および／または環境改善証書付き商品を購入する時、環境改善証書および／または環境改善証書付き商品を購入する旨の証書・証書付き商品購入希望情報を、証書・商品取引センターの端末機器を介してサプライヤーの端末機器に送信し、
（ｄ）サプライヤーは、証書・証書付き商品購入希望情報に応答して、環境改善証書および／または環境改善証書付き商品を販売する時、環境改善証書および／または環境改善証書付き商品を販売する旨の証書・証書付き商品販売同意情報を、証書・商品取引センターの端末機器を介してバイヤーの端末機器に送信する、
ことを特徴とする環境改善証書および／または環境改善証書付き商品の電子商取引方法。
【請求項２】
サプライヤーの端末機器、バイヤーの端末機器、および、証書・商品取引センターの端末機器を通信ネットワークで結び、環境改善証書および／または環境改善証書付き商品を、通信ネットワークを介して取引きする電子商取引方法において、
（ａ）サプライヤーは、端末機器から、環境改善証書に係る証書情報、および／または、環境改善証書付き商品に係る証書付き商品情報を、証書・商品取引センターの端末機器に送信し、
（ｂ）証書・商品取引センターは、証書情報および／または証書付き商品情報を、端末機器の証書・証書付き商品情報記憶・蓄積手段に記憶・蓄積し、
（ｃ）バイヤーは、端末機器から、証書・商品取引センターの端末機器の証書・証書付き商品情報記憶・蓄積手段に記憶・蓄積されている証書情報および／または証書付き商品情報に関して問い合わせる証書・証書付き商品情報問合せ情報を、証書・商品取引センターの端末機器へ送信し、
（ｄ）証書・商品取引センターは、証書・証書付き商品情報問合せ情報に回答する証書・証書付き商品情報問合せ回答情報を、バイヤーの端末機器に送信し、
（ｅ）バイヤーは、環境改善証書および／または環境改善証書付き商品を購入する時、環境改善証書および／または環境改善証書付き商品を購入する旨の証書・証書付き商品購入希望情報を、証書・商品取引センターの端末機器を介してサプライヤーの端末機器に送信し、
（ｆ）サプライヤーは、証書・証書付き商品購入希望情報に応答して、環境改善証書および／または環境改善証書付き商品を販売する時、環境改善証書および／または環境改善証書付き商品を販売する旨の証書・証書付き商品販売同意情報を、証書・商品取引センターの端末機器を介してバイヤーの端末機器に送信する、
ことを特徴とする環境改善証書および／または環境改善証書付き商品の電子商取引方法。
【請求項３】
前記証書・商品取引センターは、さらに、環境改善証書および／または環境改善証書付き商品の売買実績を、証書・証書付き商品売買実績情報として、端末機器の売買実績情報記憶・蓄積手段に記憶・蓄積するとともに、サプライヤーまたはバイヤーが端末機器から送信する証書・証書付き商品売買実績情報を求める売買実績情報要求情報に応じ、証書・証書付き商品売買実績情報を、端末機器からサプライヤーまたはバイヤーの端末機器に送信することを特徴とする請求項１または２に記載の環境改善証書および／または環境改善証書付き商品の電子商取引方法。
【請求項４】
前記通信ネットワークが事業分野毎に構築され、かつ、相互に連結されていることを特徴とする請求項１〜３のいずれか１項に記載の環境改善証書および／または環境改善証書付き商品の電子商取引方法。
【請求項５】
前記環境改善証書が、競争原理の働く市場で取引きされる商品に係るものであることを特徴とする請求項１〜４のいずれか１項に記載の環境改善証書および／または環境改善証書付き商品の電子商取引方法。
【請求項６】
前記環境改善証書付き商品が、競争原理の働く市場で取引きされる商品であることを特徴とする請求項１〜４のいずれか１項に記載の環境改善証書および／または環境改善証書付き商品の電子商取引方法。
【請求項７】
前記競争原理の働く市場で取引きされる商品が鋼材であることを特徴とする請求項５または６に記載の環境改善証書および／または環境改善証書付き商品の電子商取引方法。
【請求項８】
前記環境改善証書が、インフラストラクチャーによって供給される商品に係るものであることを特徴とする請求項１〜４のいずれか１項に記載の環境改善証書および／または環境改善証書付き商品の電子商取引方法。
【請求項９】
前記環境改善証書付き商品が、インフラストラクチャーによって供給される商品であることを特徴とする請求項１〜４のいずれか１項に記載の環境改善証書および／または環境改善証書付き商品の電子商取引方法。
【請求項１０】
前記インフラストラクチャーによって供給される商品が電力であることを特徴とする請求項８または９に記載の環境改善証書および／または環境改善証書付き商品の電子商取引方法。
【請求項１１】
サプライヤーの端末機器、バイヤーの端末機器、および、証書・商品取引センターの端末機器を通信ネットワークで結び、環境改善証書および／または環境改善証書付き商品を、通信ネットワークを介して取引きする電子商取引装置において、
（ａ）サプライヤーが、環境改善証書に係る証書情報、および／または、環境改善証書付き商品に係る証書付き商品情報を、証書・商品取引センターの端末機器へ送信する送信手段、
（ｂ）証書情報および／または証書付き商品情報を受信して記憶・蓄積する証書・証書付き商品情報記憶・蓄積手段、
（ｃ）（ｃ１）バイヤーが、証書・商品取引センターの端末機器の証書・証書付き商品情報記憶・蓄積手段に記憶・蓄積されている証書情報および／または証書付き商品情報を求める証書・証書付き商品情報要求情報を、証書・商品取引センターの端末機器へ送信する送信手段、および、
（ｃ２）バイヤーが、環境改善証書および／または環境改善証書付き商品を購入する旨の証書・証書付き商品購入希望情報を、証書・商品取引センターの端末機器を介してサプライヤーの端末機器に送信する送信手段、
および、
（ｄ）サプライヤーが、証書・証書付き商品購入希望情報に応答して、環境改善証書および／または環境改善証書付き商品を販売する時、環境改善証書および／または環境改善証書付き商品を販売する旨の証書・証書付き商品販売同意情報を、証書・商品取引センターの端末機器を介してバイヤーの端末機器に送信する送信手段、
を備えることを特徴とする環境改善証書および／または環境改善証書付き商品の電子商取引装置。
【請求項１２】
サプライヤーの端末機器、バイヤーの端末機器、および、証書・商品取引センターの端末機器を通信ネットワークで結び、環境改善証書および／または環境改善証書付き商品を、通信ネットワークを介して取引きする電子商取引装置において、
（ａ）サプライヤーが、環境改善証書に係る証書情報、および／または、環境改善証書付き商品に係る証書付き商品情報を、証書・商品取引センターの端末機器に送信する送信手段、
（ｂ）証書情報および／または証書付き商品情報を受信して記憶・蓄積する証書・証書付き商品情報記憶・蓄積手段、
（ｃ）バイヤーが、証書・商品取引センターの端末機器の証書・証書付き商品情報記憶・蓄積手段に記憶・蓄積されている証書情報および／または証書付き商品情報に関して問い合わせる証書・証書付き商品情報問合せ情報を、証書・商品取引センターの端末機器へ送信する送信手段、
（ｄ）証書・商品取引センターが、証書・証書付き商品情報問合せ情報を受信して回答する証書・証書付き商品情報問合せ回答情報を、バイヤーの端末機器に送信する送信手段、
（ｅ）バイヤーが、環境改善証書および／または環境改善証書付き商品を購入する旨の証書・証書付き商品購入希望情報を、証書・商品取引センターの端末機器を介してサプライヤーの端末機器に送信する送信手段、
および、
（ｆ）サプライヤーが、証書・証書付き商品購入希望情報に応答して、環境改善証書および／または環境改善証書付き商品を販売する時、環境改善証書および／または環境改善証書付き商品を販売する旨の証書・証書付き商品販売同意情報を、証書・商品取引センターの端末機器を介してバイヤーの端末機器に送信する送信手段、
を備えることを特徴とする環境改善証書および／または環境改善証書付き商品の電子商取引装置。
【請求項１３】
前記証書・商品取引センターの端末機器は、環境改善証書および／または環境改善証書付き商品の売買実績を、証書・証書付き商品売買実績情報として記憶・蓄積する売買実績情報記憶・蓄積手段、および、サプライヤーまたはバイヤーが端末機器から送信する証書・証書付き商品売買実績情報を求める売買実績情報要求情報に応じ、証書・証書付き商品売買実績情報を、サプライヤーまたはバイヤーの端末機器に送信する送信手段、を備えていることを特徴とする請求項１１または１２に記載の環境改善証書および／または環境改善証書付き商品の電子商取引装置。
【請求項１４】
前記通信ネットワークが事業分野毎に構築され、かつ、相互に連結されていることを特徴とする請求項１１〜１３のいずれか１項に記載の環境改善証書および／または環境改善証書付き商品の電子商取引装置。
【請求項１５】
前記環境改善証書が、競争原理の働く市場で取引きされる商品に係るものであることを特徴とする請求項１１〜１４のいずれか１項に記載の環境改善証書および／または環境改善証書付き商品の電子商取引装置。
【請求項１６】
前記環境改善証書付き商品が、競争原理の働く市場で取引きされる商品であることを特徴とする請求項１１〜１４のいずれか１項に記載の環境改善証書および／または環境改善証書付き商品の電子商取引装置。
【請求項１７】
前記競争原理の働く市場で取引きされる商品が鋼材であることを特徴とする請求項１５または１６に記載の環境改善証書および／または環境改善証書付き商品の電子商取引装置。
【請求項１８】
前記環境改善証書が、インフラストラクチャーによって供給される商品に係るものであることを特徴とする請求項１１〜１４のいずれか１項に記載の環境改善証書および／または環境改善証書付き商品の電子商取引装置。
【請求項１９】
前記環境改善証書付き商品が、インフラストラクチャーによって供給される商品であることを特徴とする請求項１１〜１４のいずれか１項に記載の環境改善証書および／または環境改善証書付き商品の電子商取引装置。
【請求項２０】
前記インフラストラクチャーによって供給される商品が電力であることを特徴とする請求項１８または１９に記載の環境改善証書および／または環境改善証書付き商品の電子商取引装置。
【発明の詳細な説明】
【０００１】
【発明の属する技術分野】
本発明は、環境改善証書および／または環境改善証書付き商品（技術を含む）を、通信ネットワークを介して取引きする電子商取引方法と装置に関する。
【０００２】
【従来の技術】
従来から、地球環境や生活環境を保護・改善するため、その保護・改善に資する技術や商品の開発が奨励されている。この開発をより一層奨励するため、開発技術や開発商品に対し、公的機関が、法律（例えば、新エネルギー調達法、グリーン購入法）に基づいて、環境の保護・改善に資する付加価値の高い技術または商品であることを認証する証書を発行する制度がある。
【０００３】
例えば、環境に対する影響が大きい電力事業分野においては、環境の保護・改善に対する貢献度を評価して評価証明を発行するシステムと、その評価証明を有価物として売買する流通システムが提案されている（例えば、特許文献１参照）。
【０００４】
これらのシステムにより、発電事業者の環境保護・改善に対する意識や、同じく、電力消費者の環境保護・改善に対する意識が啓蒙され、該意識が向上するとともに、環境の保護・改善に資する付加価値の高い発電技術の開発と、このような発電技術で発電された電力の優先的な消費を促進することができる。
【０００５】
環境の保護・改善がグローバルな技術課題として位置づけられている現在、環境の保護・改善に対する意識の啓蒙・向上は、発電事業者や電力消費者に限られず、広く、環境に何らかの負荷を与える他の技術分野や事業分野においても、強く求められるものである。
【０００６】
そのためには、広汎な技術分野において、環境の保護・改善に資する付加価値を認証して証書を発行する制度の普及・活用を図ることは勿論のこと、さらに、該証書、および／または、同書付き技術（商品）の普及・流通を図ることが必要である。
【０００７】
【特許文献１】
特開２００１−３０６７５５号公報
【０００８】
【発明が解決しようとする課題】
本発明は、環境の保護・改善に資する付加価値の高い技術（商品）の一層の開発と普及・流通を図るため、環境の保護・改善に資する技術（商品）を、環境の保護・改善に資する付加価値の高い技術（商品）として認証する環境改善証書（以下「環境改善証書」という。）、および／または、同環境改善証書付き技術（商品）を、通信ネットワークを介して取引きする電子商取引方法と装置を提供することを目的とする。
【０００９】
【課題を解決するための手段】
近年、各種の技術分野や事業分野においては、インターネットなどの通信ネットワークを介して、グローバルにかつ迅速に商取引を行うことが普及しているが、本発明者は、この商取引を、環境改善証書、および／または、環境改善証書付きの技術や商品（以下、技術も含めて「商品」という。）の普及・流通に適用すれば、それらの商取引を活発化するとともに、環境の改善・保護に対する意識の啓蒙・向上にも貢献するとの発想のもとに、具体的な商取引方法および装置を検討した。
【００１０】
本発明は、上記検討の結果なされたもので、その要旨とするところは、次のとおりである。
【００１１】
（１）　サプライヤーの端末機器、バイヤーの端末機器、および、証書・商品取引センターの端末機器を通信ネットワークで結び、環境改善証書および／または環境改善証書付き商品を、通信ネットワークを介して取引きする電子商取引方法において、
（ａ）サプライヤーは、端末機器から、環境改善証書に係る証書情報、および／または、環境改善証書付き商品に係る証書付き商品情報を、証書・商品取引センターの端末機器に送信し、
（ｂ）証書・商品取引センターは、証書情報および／または証書付き商品情報を、端末機器の証書・証書付き商品情報記憶・蓄積手段に記憶・蓄積し、
（ｃ）バイヤーは、
（ｃ１）端末機器から、証書・商品取引センターの端末機器の証書・証書付き商品情報記憶・蓄積手段に記憶・蓄積されている証書情報および／または証書付き商品情報を求める証書・証書付き商品情報要求情報を、証書・商品取引センターの端末機器へ送信し、
（ｃ２）環境改善証書および／または環境改善証書付き商品を購入する時、環境改善証書および／または環境改善証書付き商品を購入する旨の証書・証書付き商品購入希望情報を、証書・商品取引センターの端末機器を介してサプライヤーの端末機器に送信し、
（ｄ）サプライヤーは、証書・証書付き商品購入希望情報に応答して、環境改善証書および／または環境改善証書付き商品を販売する時、環境改善証書および／または環境改善証書付き商品を販売する旨の証書・証書付き商品販売同意情報を、証書・商品取引センターの端末機器を介してバイヤーの端末機器に送信する、
ことを特徴とする環境改善証書および／または環境改善証書付き商品の電子商取引方法。
【００１２】
（２）　サプライヤーの端末機器、バイヤーの端末機器、および、証書・商品取引センターの端末機器を通信ネットワークで結び、環境改善証書および／または環境改善証書付き商品を、通信ネットワークを介して取引きする電子商取引方法において、
（ａ）サプライヤーは、端末機器から、環境改善証書に係る証書情報、および／または、環境改善証書付き商品に係る証書付き商品情報を、証書・商品取引センターの端末機器に送信し、
（ｂ）証書・商品取引センターは、証書情報および／または証書付き商品情報を、端末機器の証書・証書付き商品情報記憶・蓄積手段に記憶・蓄積し、
（ｃ）バイヤーは、端末機器から、証書・商品取引センターの端末機器の証書・証書付き商品情報記憶・蓄積手段に記憶・蓄積されている証書情報および／または証書付き商品情報に関して問い合わせる証書・証書付き商品情報問合せ情報を、証書・商品取引センターの端末機器へ送信し、
（ｄ）証書・商品取引センターは、証書・証書付き商品情報問合せ情報に回答する証書・証書付き商品情報問合せ回答情報を、バイヤーの端末機器に送信し、
（ｅ）バイヤーは、環境改善証書および／または環境改善証書付き商品を購入する時、環境改善証書および／または環境改善証書付き商品を購入する旨の証書・証書付き商品購入希望情報を、証書・商品取引センターの端末機器を介してサプライヤーの端末機器に送信し、
（ｆ）サプライヤーは、証書・証書付き商品購入希望情報に応答して、環境改善証書および／または環境改善証書付き商品を販売する時、環境改善証書および／または環境改善証書付き商品を販売する旨の証書・証書付き商品販売同意情報を、証書・商品取引センターの端末機器を介してバイヤーの端末機器に送信する、
ことを特徴とする環境改善証書および／または環境改善証書付き商品の電子商取引方法。
【００１３】
（３）　前記証書・商品取引センターは、さらに、環境改善証書および／または環境改善証書付き商品の売買実績を、証書・証書付き商品売買実績情報として、端末機器の売買実績情報記憶・蓄積手段に記憶・蓄積するとともに、サプライヤーまたはバイヤーが端末機器から送信する証書・証書付き商品売買実績情報を求める売買実績情報要求情報に応じ、証書・証書付き商品売買実績情報を、端末機器からサプライヤーまたはバイヤーの端末機器に送信することを特徴とする前記（１）または（２）に記載の環境改善証書および／または環境改善証書付き商品の電子商取引方法。
【００１４】
（４）　前記通信ネットワークが事業分野毎に構築され、かつ、相互に連結されていることを特徴とする前記（１）〜（３）のいずれかに記載の環境改善証書および／または環境改善証書付き商品の電子商取引方法。
【００１５】
（５）　前記環境改善証書が、競争原理の働く市場で取引きされる商品に係るものであることを特徴とする前記（１）〜（４）のいずれかに記載の環境改善証書および／または環境改善証書付き商品の電子商取引方法。
【００１６】
（６）　前記環境改善証書付き商品が、競争原理の働く市場で取引きされる商品であることを特徴とする前記（１）〜（４）のいずれかに記載の環境改善証書および／または環境改善証書付き商品の電子商取引方法。
【００１７】
（７）　前記競争原理の働く市場で取引きされる商品が鋼材であることを特徴とする前記（５）または（６）に記載の環境改善証書および／または環境改善証書付き商品の電子商取引方法。
【００１８】
（８）　前記環境改善証書が、インフラストラクチャーによって供給される商品に係るものであることを特徴とする前記（１）〜（４）のいずれかに記載の環境改善証書および／または環境改善証書付き商品の電子商取引方法。
【００１９】
（９）　前記環境改善証書付き商品が、インフラストラクチャーによって供給される商品であることを特徴とする前記（１）〜（４）のいずれかに記載の環境改善証書および／または環境改善証書付き商品の電子商取引方法。
【００２０】
（１０）　前記インフラストラクチャーによって供給される商品が電力であることを特徴とする前記（８）または（９）に記載の環境改善証書および／または環境改善証書付き商品の電子商取引方法。
【００２１】
（１１）　サプライヤーの端末機器、バイヤーの端末機器、および、証書・商品取引センターの端末機器を通信ネットワークで結び、環境改善証書および／または環境改善証書付き商品を、通信ネットワークを介して取引きする電子商取引装置において、
（ａ）サプライヤーが、環境改善証書に係る証書情報、および／または、環境改善証書付き商品に係る証書付き商品情報を、証書・商品取引センターの端末機器へ送信する送信手段、
（ｂ）証書情報および／または証書付き商品情報を受信して記憶・蓄積する証書・証書付き商品情報記憶・蓄積手段、
（ｃ）（ｃ１）バイヤーが、証書・商品取引センターの端末機器の証書・証書付き商品情報記憶・蓄積手段に記憶・蓄積されている証書情報および／または証書付き商品情報を求める証書・証書付き商品情報要求情報を、証書・商品取引センターの端末機器へ送信する送信手段、および、
（ｃ２）バイヤーが、環境改善証書および／または環境改善証書付き商品を購入する旨の証書・証書付き商品購入希望情報を、証書・商品取引センターの端末機器を介してサプライヤーの端末機器に送信する送信手段、
および、
（ｄ）サプライヤーが、証書・証書付き商品購入希望情報に応答して、環境改善証書および／または環境改善証書付き商品を販売する時、環境改善証書および／または環境改善証書付き商品を販売する旨の証書・証書付き商品販売同意情報を、証書・商品取引センターの端末機器を介してバイヤーの端末機器に送信する送信手段、
を備えることを特徴とする環境改善証書および／または環境改善証書付き商品の電子商取引装置。
【００２２】
（１２）　サプライヤーの端末機器、バイヤーの端末機器、および、証書・商品取引センターの端末機器を通信ネットワークで結び、環境改善証書および／または環境改善証書付き商品を、通信ネットワークを介して取引きする電子商取引装置において、
（ａ）サプライヤーが、環境改善証書に係る証書情報、および／または、環境改善証書付き商品に係る証書付き商品情報を、証書・商品取引センターの端末機器に送信する送信手段、
（ｂ）証書情報および／または証書付き商品情報を受信して記憶・蓄積する証書・証書付き商品情報記憶・蓄積手段、
（ｃ）バイヤーが、証書・商品取引センターの端末機器の証書・証書付き商品情報記憶・蓄積手段に記憶・蓄積されている証書情報および／または証書付き商品情報に関して問い合わせる証書・証書付き商品情報問合せ情報を、証書・商品取引センターの端末機器へ送信する送信手段、
（ｄ）証書・商品取引センターが、証書・証書付き商品情報問合せ情報を受信して回答する証書・証書付き商品情報問合せ回答情報を、バイヤーの端末機器に送信する送信手段、
（ｅ）バイヤーが、環境改善証書および／または環境改善証書付き商品を購入する旨の証書・証書付き商品購入希望情報を、証書・商品取引センターの端末機器を介してサプライヤーの端末機器に送信する送信手段、
および、
（ｆ）サプライヤーが、証書・証書付き商品購入希望情報に応答して、環境改善証書および／または環境改善証書付き商品を販売する時、環境改善証書および／または環境改善証書付き商品を販売する旨の証書・証書付き商品販売同意情報を、証書・商品取引センターの端末機器を介してバイヤーの端末機器に送信する送信手段、
を備えることを特徴とする環境改善証書および／または環境改善証書付き商品の電子商取引装置。
【００２３】
（１３）　前記証書・商品取引センターの端末機器は、環境改善証書および／または環境改善証書付き商品の売買実績を、証書・証書付き商品売買実績情報として記憶・蓄積する売買実績情報記憶・蓄積手段、および、サプライヤーまたはバイヤーが端末機器から送信する証書・証書付き商品売買実績情報を求める売買実績情報要求情報に応じ、証書・証書付き商品売買実績情報を、サプライヤーまたはバイヤーの端末機器に送信する送信手段、を備えていることを特徴とする前記（１１）または（１２）に記載の環境改善証書および／または環境改善証書付き商品の電子商取引装置。
【００２４】
（１４）　前記通信ネットワークが事業分野毎に構築され、かつ、相互に連結されていることを特徴とする前記（１１）〜（１３）のいずれかに記載の環境改善証書および／または環境改善証書付き商品の電子商取引装置。
【００２５】
（１５）　前記環境改善証書が、競争原理の働く市場で取引きされる商品に係るものであることを特徴とする前記（１１）〜（１４）のいずれかに記載の環境改善証書および／または環境改善証書付き商品の電子商取引装置。
【００２６】
（１６）　前記環境改善証書付き商品が、競争原理の働く市場で取引きされる商品であることを特徴とする前記（１１）〜（１４）のいずれかに記載の環境改善証書および／または環境改善証書付き商品の電子商取引装置。
【００２７】
（１７）　前記競争原理の働く市場で取引きされる商品が鋼材であることを特徴とする前記（１５）または（１６）に記載の環境改善証書および／または環境改善証書付き商品の電子商取引装置。
【００２８】
（１８）　前記環境改善証書が、インフラストラクチャーによって供給される商品に係るものであることを特徴とする前記（１１）〜（１４）のいずれかに記載の環境改善証書および／または環境改善証書付き商品の電子商取引装置。
【００２９】
（１９）　前記環境改善証書付き商品が、インフラストラクチャーによって供給される商品であることを特徴とする前記（１１）〜（１４）のいずれかに記載の環境改善証書および／または環境改善証書付き商品の電子商取引装置。
【００３０】
（２０）　前記インフラストラクチャーによって供給される商品が電力であることを特徴とする前記（１８）または（１９）に記載の環境改善証書および／または環境改善証書付き商品の電子商取引装置。
【００３１】
【発明の実施の形態】
本発明について、図面に基づいて詳細に説明する。図１に、本発明の通信ネットワーク構造を示す。
【００３２】
サプライヤーの端末機器Ｓｉ（ｉ＝１…ｍ）、バイヤーの端末機器Ｂｉ（ｉ＝１…ｎ）、および、証書・商品取引センターの各端末機器Ｃが、通信ネットワーク１で結ばれている。
【００３３】
なお、実際に、サプライヤ−（Ｂｉ）とバイヤー（Ｂｉ）は、場合により立場が入れ替わるものであるから、特に区別する必要はないが、本発明を説明するため、便宜上区別して、図１に示した。
【００３４】
この証書・商品取引センターの端末機器Ｃを中心とする通信ネットワーク１は、技術分野または事業分野毎に構築してもよい（図２には、別の通信ネットワークの端末機器Ｃ’のみを示した。）。
【００３５】
この場合、各技術分野または事業分野の通信ネットワークを、さらに通信ネットワークで結ぶと、広範囲の事業分野や技術分野に渡り、環境改善証書や改善証書付き商品の電子商取引を広域化したり活発化したりするのに有効である。
【００３６】
本発明は、上記通信ネットワーク１を介して、環境改善証書および／または同証書付き技術（商品）（以下、併せて「証書・証書付き商品」ということがある。）の取引を電子商取引で行うことを特徴とするが、本発明で扱う証書・証書付き商品は、“特定の商品”に係る環境改善証書や、環境改善証書付きの“特定の商品”に限られない。
【００３７】
本発明で扱う商品は、競争原理が働く市場で取引きされる商品か、または、インフラストラクチャーを経て一般消費者に販売・供給される商品である。
【００３８】
なかでも、エネルギーを多量に消費し、環境への負荷が大きい技術分野や事業分野における商品が好ましい。
【００３９】
例えば、エネルギーを多量に消費して製造される鋼材（競争原理が働く市場で取引きされる商品）や、または、インフラストラクチャーを経て一般消費者に販売・供給される商品では、消費者が多量に消費すると環境への負荷が増大する電力が好ましい。
【００４０】
環境改善証書は、公的機関、公的機関に準ずる機関、または、公的機関が指定する機関が、環境の保護・改善のために開発された商品に対し、その環境の保護・改善に資する程度（付加価値）を証明する証書として発行したものであればよい。
【００４１】
また、特定技術分野または特定事業分野に属する民間企業で構成する団体が発行する環境改善証書でも、民間企業が商取引の対象とする限りにおいて、本発明においても、商取引の対象とする。
【００４２】
本発明において、証書情報は、所定の商品において、環境の保護・改善に対する付加価値を証明する情報であるが、所定の商品と切り離されて、独立して市場で取引きされている情報である。それ故、証書情報は、上記付加価値を証明する情報の他、これまでの売買履歴を含む情報である。
【００４３】
また、証書付き商品情報は、上記証書情報が添付されている商品に係る情報であり、商品の売買履歴をも含む情報である。そして、証書付き商品情報においては、証書情報が切り離されて取引の対象となることがある。
【００４４】
本発明の具体的な手順を、図面に基づいて説明する。
【００４５】
図２に示すように、サプライヤーは、端末機器Ｓｉから、環境改善証書に係る証書情報、および／または、環境改善証書付き商品に係る証書付き商品情報（証書・証書付き商品情報）を、証書・商品取引センターの端末機器Ｃへ送信する。
【００４６】
証書・商品取引センターは、端末機器Ｃで受信した証書・証書付き商品情報を、端末機器Ｃの証書・証書付き商品情報記憶・蓄積手段に記憶・蓄積する。
【００４７】
図３に示すように、証書・証書付き商品を購入しようとするバイヤーは、その端末機器Ｂｉから、証書・商品取引センターの端末機器Ｃの証書・証書付き商品情報記憶・蓄積手段に記憶・蓄積されている証書・証書付き商品情報を求める証書・証書付き商品情報要求情報を、証書・商品取引センターの端末機器Ｃへ送信する。
【００４８】
証書・商品取引センターは、証書・証書付き商品情報要求情報に応答する証書・証書付き商品情報を、バイヤーの端末機器Ｂｉへ送信する。
【００４９】
バイヤーは、証書・証書付き商品情報の中から所望の証書・証書付き商品情報を選択することができる。
【００５０】
バイヤーが、証書・証書付き商品を購入しようとする時は、証書・証書付き商品を購入する旨の証書・証書付き商品購入希望情報を、証書・商品取引センターの端末機器Ｃへ送信する。
【００５１】
証書・商品取引センターの端末機器Ｃは、証書・証書付き商品購入希望情報をサプライヤーの端末機器に送信する。
【００５２】
また、バイヤーは、図４に示すように、証書・商品取引センターの端末機器Ｃの証書・証書付き商品情報記憶・蓄積手段に記憶・蓄積されている証書・証書付き商品情報に関して問い合わせる証書・証書付き商品情報問合せ情報を、証書・商品取引センターの端末機器Ｃへ送信することができる。
【００５３】
商品情報問合せ情報は、例えば、バイヤーの購入条件に合致する証書・証書付き商品情報の有無を、証書・商品取引センターに問い合わせるものである。そして、サプライヤーは、商品情報問合せ情報に応答して、証書・証書付き商品情報を変更することができる。
【００５４】
証書・商品取引センターは、証書・証書付き商品情報問合せ情報に回答する証書・証書付き商品情報問合せ回答情報を、バイヤーの端末機器Ｂｉへ送信する。
【００５５】
バイヤーは、証書・証書付き商品情報問合せ回答情報の中から所望の証書・証書付き商品情報を選択することができる。
【００５６】
そして、バイヤーが、証書・証書付き商品を購入しようとする時は、証書・証書付き商品を購入する旨の証書・証書付き商品購入希望情報を、証書・商品取引センターの端末機器Ｃへ送信する。
【００５７】
証書・商品取引センターの端末機器Ｃは、証書・証書付き商品購入希望情報をサプライヤーの端末機器に送信する。
【００５８】
サプライヤーは、端末機器Ｓｉで証書・証書付き商品購入希望情報を受信し、該情報に応答して、証書・証書付き商品を販売する時は、証書・証書付き商品販売同意情報を、証書・商品取引センターの端末機器Ｃへ送信する。
【００５９】
証書・商品取引センターは、証書・証書付き商品販売同意情報を受信して、バイヤーの端末機器Ｂｉへ送信する。
【００６０】
以上説明したように、本発明によれば、サプライヤーとバイヤーが、証書・商品取引センターの端末機器Ｃを中心とする通信ネットワークを介し、証書・証書付き商品に係る情報を送受信することにより、証書・証書付き商品の売買に係る電子商取引が成立するが、本発明は、さらに、証書・証書付き商品の売買実績を、証書・証書付き商品売買実績情報として、端末機器Ｃの売買実績情報記憶・蓄積手段に記憶・蓄積する（図３と図４、参照）。
【００６１】
サプライヤーまたはバイヤーは、図５に示すように、端末機器（Ｓｉ、Ｂｉ）から、端末機器Ｃの売買実績情報記憶・蓄積手段に記憶・蓄積されている証書・証書付き商品売買実績情報を求める売買実績情報要求情報を、証書・商品取引センターの端末機器Ｃへ送信することができる。
【００６２】
証書・商品取引センターは、売買実績情報要求情報に応じて、証書・証書付き商品売買実績情報を、サプライヤーまたはバイヤーの端末機器へ送信する。
【００６３】
本発明の電子商取引方法は、サプライヤーの端末機器、バイヤーの端末機器、および、証書・商品取引センターの端末機器を通信ネットワークで結び、環境改善証書または環境改善証書付き商品を、通信ネットワークを介して取引きする電子商取引装置において、
（ａ）サプライヤーが、環境改善証書に係る証書情報、および／または、環境改善証書付き商品に係る証書付き商品情報を、証書・商品取引センターの端末機器へ送信する送信手段、
（ｂ）証書情報および／または証書付き商品情報を受信して記憶・蓄積する証書・証書付き商品情報記憶・蓄積手段、
（ｃ）（ｃ１）バイヤーが、証書・商品取引センターの端末機器の証書・証書付き商品情報記憶・蓄積手段に記憶・蓄積されている証書情報および／または証書付き商品情報を求める証書・証書付き商品情報要求情報を、証書・商品取引センターの端末機器へ送信する送信手段、および、
（ｃ２）バイヤーが、環境改善証書および／または環境改善証書付き商品を購入する旨の証書・証書付き商品購入希望情報を、証書・商品取引センターの端末機器を介してサプライヤーの端末機器に送信する送信手段、
および、
（ｄ）サプライヤーが、証書・証書付き商品購入希望情報に応答して、環境改善証書および／または環境改善証書付き商品を販売する時、環境改善証書および／または環境改善証書付き商品を販売する旨の証書・証書付き商品販売同意情報を、証書・商品取引センターの端末機器を介してバイヤーの端末機器に送信する送信手段、
を備える装置（Ａ）、または、
（ａ）サプライヤーが、環境改善証書に係る証書情報、および／または、環境改善証書付き商品に係る証書付き商品情報を、証書・商品取引センターの端末機器に送信する送信手段、
（ｂ）証書情報および／または証書付き商品情報を受信して記憶・蓄積する証書・証書付き商品情報記憶・蓄積手段、
（ｃ）バイヤーが、証書・商品取引センターの端末機器の証書・証書付き商品情報記憶・蓄積手段に記憶・蓄積されている証書情報および／または証書付き商品情報に関して問い合わせる証書・証書付き商品情報問合せ情報を、証書・商品取引センターの端末機器へ送信する送信手段、
（ｄ）証書・商品取引センターが、証書・証書付き商品情報問合せ情報を受信して回答する証書・証書付き商品情報問合せ回答情報を、バイヤーの端末機器に送信する送信手段、
（ｅ）バイヤーが、環境改善証書および／または環境改善証書付き商品を購入する旨の証書・証書付き商品購入希望情報を、証書・商品取引センターの端末機器を介してサプライヤーの端末機器に送信する送信手段、
および、
（ｆ）サプライヤーが、証書・証書付き商品購入希望情報に応答して、環境改善証書および／または環境改善証書付き商品を販売する時、環境改善証書および／または環境改善証書付き商品を販売する旨の証書・証書付き商品販売同意情報を、証書・商品取引センターの端末機器を介してバイヤーの端末機器に送信する送信手段、
を備える装置（Ｂ）、
によって実施することができる。
【００６４】
さらに、装置（Ａ）および装置（Ｂ）は、必要に応じ、環境改善証書および／または環境改善証書付き商品の売買実績を、証書・証書付き商品売買実績情報として記憶・蓄積する売買実績情報記憶・蓄積手段、および、サプライヤーまたはバイヤーが端末機器から送信する証書・証書付き商品売買実績情報を求める売買実績情報要求情報に応じ、証書・証書付き商品売買実績情報を、サプライヤーまたはバイヤーの端末機器に送信する送信手段を備えるものである。
【００６５】
なお、本発明の電子商取引装置は、本発明の電子商取引方法を実施するうえにおいて、適宜、構成の変更・付加が可能なものである。
【００６６】
【発明の効果】
本発明によれば、環境改善証書発行制度の普及・活用と、環境改善証書の流通、および、環境改善証書付き技術（商品）の開発と普及・流通をより一層活発化し、さらに、環境の改善・保護に対する開発者や消費者の意識の啓蒙・向上を図り、環境の保護・改善に資する産業の発展に寄与することができる。
【図面の簡単な説明】
【図１】本発明の通信ネットワーク構造を示す図である。
【図２】証書・商品取引センターの端末機器に証書・証書付き商品情報を記憶・蓄積するまでの手順を示す図である。
【図３】環境改善証書および／または環境改善証書付き商品の売買が成立するまでの手順を示す図である。
【図４】環境改善証書および／または環境改善証書付き商品の売買が成立するまでの他の手順を示す図である。
【図５】環境改善証書および／または環境改善証書付き商品の売買実績を、サプライヤおよびバイヤーへ送信するまでの手順を示す図である。
【符号の説明】
１…通信ネットワーク
Ｓｉ（ｉ＝１…ｍ）…サプライヤーの端末機器
Ｂｉ（ｉ＝１…ｎ）…バイヤーの端末機器
Ｃ…証書・商品取引センターの端末機器
【図１】
2004145534.tif 000003
【図２】
2004145534.tif 000004
【図３】
2004145534.tif 000005
【図４】
2004145534.tif 000006
【図５】
2004145534.tif 000007